(57)【特許請求の範囲】
【請求項１】
面材の四周に上框、下框及び左右の縦框を装着することによって構成した固定障子を、上枠、下枠及び左右の縦枠によって構成した枠体の内部に支持させることによって構成した建具であって、
前記固定障子は、前記上枠と前記下枠との間において前記枠体に対して上下方向に移動することができる寸法に構成したものであり、
前記上枠と前記上框との間には、
前記上枠から下方に向けて突出するように配設した支持部材を備え、前記固定障子を上方に配置した場合には前記枠体に対する前記固定障子の見込み方向に沿った移動を許容し、一方、前記固定障子を前記上枠と前記下枠との間において下方に配置した場合には前記支持部材に係合することにより、戸尻となる縦框の見付け面と前記縦枠の見付け面とが互いに当接した状態を維持する上方係合手段が設けられていることを特徴とする建具。
【請求項２】
前記上方係合手段は、前記上框において前記支持部材に対向する見付け面から下方に向けて延在した係合プレートと、前記支持部材に設けた係合受部とを備え、前記係合受部は、前記支持部材において下方に突出した支持基板部の下端から前記上框に向けて突出した後、上方に屈曲したものであり、
前記枠体に対して前記固定障子を上方に配置した場合に係合プレートの下端が係合受部の上端よりも上方に位置し、かつ前記固定障子を下方に配置した場合に係合プレートが係合受部と支持部材との間に配置されるように係合プレート及び係合受部が構成されていることを特徴とする請求項１に記載の建具。
【請求項３】
前記上方係合手段は、前記上框において前記支持部材に対向する見付け面から見込み方向に沿って延在し、軸部の先端に太径の頭部を有した支持ピンと、前記支持部材に設けた係合面とを備え、
前記支持部材は、前記支持ピンの頭部を挿通可能とする第１の切欠部と、前記軸部を挿通可能、かつ前記頭部を挿通不可とする第２の切欠部とが上下方向に連続した挿通孔を有し、前記第２の切欠部の周囲を前記係合面として構成したものであり、
前記枠体に対して前記固定障子を上方に配置した場合に前記支持ピンの頭部が前記第１の切欠部に対向し、かつ前記固定障子を下方に配置した場合に前記係合面に前記頭部が対向するように前記支持ピン及び前記支持部材が構成されていることを特徴とする請求項１に記載の建具。
【請求項４】
前記上枠は、前記固定障子の戸先となる縦框に対応する部位に前記縦框の見付け面に当接する框受部材を備えたことを特徴とする請求項１に記載の建具。
【請求項５】
面材の四周に上框、下框及び左右の縦框を装着することによって構成した固定障子を、上枠、下枠及び左右の縦枠によって構成した枠体の内部に支持させることによって構成した建具であって、
前記上枠と前記上框との間に、前記固定障子によって仕切られる２つの空間の間を連通する通気通路を備え、
前記上枠から下方に向けて突出するように支持部材を配設し、この支持部材に前記上框を係合させることにより、少なくとも前記支持部材に対する前記固定障子の離隔方向への移動が阻止されることを特徴とする建具。
【請求項６】
前記固定障子は、前記左右の縦框の互いに対向する見込み面の間に前記上框を配設したものであり、
前記縦框の上端に前記上枠との間の遮水を行う遮水部材を配設し、かつ前記上框と前記上枠との間に、前記通気通路を開閉する弁部材を備えたことを特徴とする請求項５に記載の建具。
【請求項７】
前記下枠と前記下框との間に、前記固定障子を前記下枠に載置させた場合に相互に係合し、前記枠体に対する前記固定障子の上方への移動を制限する下方係合手段を備えたことを特徴とする請求項１に記載の建具。
【請求項８】
前記固定障子は、前記下框の下面から突出する突出ヒレ部を備え、
前記下枠は、前記突出ヒレ部に対応する部位に前記下框の載置面よりも高さの低い段部を有するとともに、これら載置面と段部との間に上下方向に沿った段差面を有し、
前記段部は、前記段差面との間に前記突出ヒレ部を挟持する挟持部材を備えることを特徴とする請求項７に記載の建具。
【発明の詳細な説明】
【技術分野】
【０００１】
本発明は、建具に関するものである。
【背景技術】
【０００２】
面材の四周に框が装着された固定障子を枠体に備える建具では、框と対応する枠体の枠との間にネジを螺合することによって固定障子を枠体に取り付けるようにしている。通常、この種の建具では、上枠と下枠との間に上下方向に沿って方立枠が設けられており、召し合わせとなる縦框については方立枠との間にネジを螺合するようにしている（例えば、特許文献１参照）。
【先行技術文献】
【特許文献】
【０００３】
【特許文献１】特開２００１−１２１６１号公報
【発明の概要】
【発明が解決しようとする課題】
【０００４】
上記のように方立枠と縦框との間をネジによって螺合するようにした建具では、縦框として面材の縁部を収容する部分を設けるばかりでなく、ネジを螺合する部分を確保する必要があり、見付け寸法を小さくすることが難しい。方立枠及び縦框は、枠体の中央部分に配置されるものである。このため、例えば面材として透明のガラスを適用した場合にも、枠体の中央部分に配置された見付け寸法の大きい方立枠及び縦框によって枠体の内部の視界が大きく遮られることになる。
【０００５】
本発明は、上記実情に鑑みて、枠体を介した視界が大きく遮られる事態を防止した上で、枠体と固定障子との間の取付強度を確保することのできる建具を提供することを目的とする。
【課題を解決するための手段】
【０００６】
上記目的を達成するため、本発明に係る建具は、面材の四周に上框、下框及び左右の縦框を装着することによって構成した固定障子を、上枠、下枠及び左右の縦枠によって構成した枠体の内部に支持させることによって構成した建具であって、前記固定障子は、前記上枠と前記下枠との間において前記枠体に対して上下方向に移動することができる寸法に構成したものであり、前記上枠と前記上框との間には、前記上枠から下方に向けて突出するように配設した支持部材を備え、前記固定障子を上方に配置した場合には前記枠体に対する前記固定障子の見込み方向に沿った移動を許容し、一方、前記固定障子を前記上枠と前記下枠との間において下方に配置した場合には前記支持部材に係合することにより、戸尻となる縦框の見付け面と前記縦枠の見付け面とが互いに当接した状態を維持する上方係合手段が設けられていることを特徴とする。
【０００７】
この発明によれば、上枠に設けた支持部材を介して固定障子の上框を上枠に取り付けるようにしているため、枠体に方立枠を設ける必要がなく、当然に方立枠と縦框との間にネジを螺合させる必要もないため、縦框の見付け寸法を小さく設定することが可能となる。従って、枠体を介した視界を大きく確保することができるようになる。
【０００９】
この発明によれば、枠体に対して固定障子を上方に配置した状態で見込み方向に移動させ、その後、枠体に対して固定障子を下方に移動させれば、上方係合手段によって戸尻となる縦框の見付け面と縦枠の見付け面とを当接した状態に維持することができるため、固定障子の取付作業を容易化することができる。
【００１０】
また本発明は、上述した建具において、前記上方係合手段は、前記上框において前記支持部材に対向する見付け面から下方に向けて延在した係合プレートと、前記支持部材に設けた係合受部とを備え、前記係合受部は、前記支持部材において下方に突出した支持基板部の下端から前記上框に向けて突出した後、上方に屈曲したものであり、前記枠体に対して前記固定障子を上方に配置した場合に係合プレートの下端が係合受部の上端よりも上方に位置し、かつ前記固定障子を下方に配置した場合に係合プレートが係合受部と支持部材との間に配置されるように係合プレート及び係合受部が構成されていることを特徴とする。
【００１１】
この発明によれば、係合プレートの下端部を支持部材の支持基板部と係合受部との間に挿入すれば、係合プレートと係合受部とが対向して配置され、支持部材に対する固定障子の離隔方向への移動が阻止される。
【００１２】
また本発明は、上述した建具において、前記上方係合手段は、前記上框において前記支持部材に対向する見付け面から見込み方向に沿って延在し、軸部の先端に太径の頭部を有した支持ピンと、前記支持部材に設けた係合面とを備え、前記支持部材は、前記支持ピンの頭部を挿通可能とする第１の切欠部と、前記軸部を挿通可能、かつ前記頭部を挿通不可とする第２の切欠部とが上下方向に連続した挿通孔を有し、前記第２の切欠部の周囲を前記係合面として構成したものであり、前記枠体に対して前記固定障子を上方に配置した場合に前記支持ピンの頭部が前記第１の切欠部に対向し、かつ前記固定障子を下方に配置した場合に前記係合面に前記頭部が対向するように前記支持ピン及び前記支持部材が構成されていることを特徴とする。
【００１３】
この発明によれば、支持ピンの頭部を支持部材の第１の切欠部に挿通させた状態で、枠体に対して固定障子を下方に移動させれば、支持ピンの頭部が支持部材の係合面に対向して配置され、頭部と係合面とが当接することで支持部材に対する固定障子の離隔方向への移動が阻止される。
【００１４】
また本発明は、上述した建具において、前記上枠は、前記固定障子の戸先となる縦框に対応する部位に前記縦框の見付け面に当接する框受部材を備えたことを特徴とする。
【００１５】
この発明によれば、框受部材を介して固定障子の縦框を上枠に支持させることが可能となる。
【００１６】
また、本発明に係る建具は、面材の四周に上框、下框及び左右の縦框を装着することによって構成した固定障子を、上枠、下枠及び左右の縦枠によって構成した枠体の内部に支持させることによって構成した建具であって、前記上枠と前記上框との間に、前記固定障子によって仕切られる２つの空間の間を連通する通気通路を備え、前記上枠から下方に向けて突出するように支持部材を配設し、この支持部材に前記上框を係合させることにより、少なくとも前記支持部材に対する前記固定障子の離隔方向への移動が阻止されることを特徴とする。
【００１７】
この発明によれば、通気通路を通じて常に２つの空間の間で通気を行うことが可能となる。
【００１８】
また本発明は、上述した建具において、前記固定障子は、前記左右の縦框の互いに対向する見込み面の間に前記上框を配設したものであり、前記縦框の上端に前記上枠との間の遮水を行う遮水部材を配設し、かつ前記上框と前記上枠との間に、前記通気通路を開閉する弁部材を備えたことを特徴とする。
【００１９】
この発明によれば、遮水部材及び弁部材によって通気通路を閉じることができるため、例えば一方の空間から通気通路に水が掛かった場合にもこの水が他方に空間に浸入する事態を防止できる。
【００２０】
また本発明は、上述した建具において、前記下枠と前記下框との間に、前記固定障子を前記下枠に載置させた場合に相互に係合し、前記枠体に対する前記固定障子の上方への移動を制限する下方係合手段を備えたことを特徴とする。
【００２１】
この発明によれば、固定障子を下枠の上面に載置させれば、下方係合手段が係合することによって枠体に対する固定障子の上方への移動が制限される。
【００２２】
また本発明は、上述した建具において、前記固定障子は、前記下框の下面から突出する突出ヒレ部を備え、前記下枠は、前記突出ヒレ部に対応する部位に前記下框の載置面よりも高さの低い段部を有するとともに、これら載置面と段部との間に上下方向に沿った段差面を有し、前記段部は、前記段差面との間に前記突出ヒレ部を挟持する挟持部材を備えることを特徴とする。
【００２３】
この発明によれば、段部と載置面との間の段差面に下框の突出ヒレ部を当接させた状態で段部に挟持部材を配設することにより、突出ヒレ部を介して枠体に対する下框の見込み方向に沿った移動を制限することができる。
【発明の効果】
【００２４】
本発明によれば、上枠に設けた支持部材を介して固定障子の上框を上枠に取り付けるようにしているため、枠体に方立枠を設ける必要がなく、当然に方立枠と縦框との間にネジを螺合させる必要もないため、縦框の見付け寸法を小さく設定することが可能となる。従って、枠体を介した視界を大きく遮られる事態を防止しつつ、枠体と固定障子との間の取付強度を確保することができるようになる。
【図面の簡単な説明】
【００２５】
【図１】図１は、本発明の実施の形態である建具を浴室側から見た図である。
【図２】図２は、図１に示した建具を脱衣室側から見た図である。
【図３】図３は、図１に示した建具の要部縦断面図である。
【図４】図４は、図１に示した建具の要部縦断面図である。
【図５】図５は、図１に示した建具の横断面図である。
【図６】図６は、図１に示した建具において可動障子が開いた状態の横断面図である。
【図７】図７は、図１に示した建具の上枠と固定障子の上框部分とを示す要部断面斜視図である。
【図８】図８は、図１に示した建具の上枠を示す縦断面図である。
【図９】図９は、図１に示した建具の上枠を示す要部断面斜視図である。
【図１０】図１０は、図１に示した建具の上枠を示す要部断面斜視図である。
【図１１】図１１は、図１に示した建具に適用する支持部材を示したもので、（ａ）は斜め上方から見た斜視図、（ｂ）は浴室側から見た図である。
【図１２】図１２は、図１に示した建具の上枠と固定障子の上框とを示したもので、（ａ）は枠体に対して固定障子を上方に配置した状態の要部縦断面図、（ｂ）は枠体に対して固定障子を下方に移動した状態の要部縦断面図である。
【図１３】図１３は、図１に示した建具の下枠を示す要部断面斜視図である。
【図１４】図１４は、図１に示した建具の下枠と固定障子の下框との取付状態を示す要部断面斜視図である。
【図１５】図１５は、図１に示した建具の下枠と固定障子の下框との取付状態を示す要部縦断面図である。
【図１６】図１６は、図１に示した建具の下枠において基準部材を取り付ける部分を示す要部斜視図である。
【図１７】図１７は、図１に示した建具の下枠に基準部材を取り付けた状態を浴室側から見た要部斜視図である。
【図１８】図１８は、図１に示した建具の下枠に基準部材を取り付けた状態を脱衣室側から見た要部斜視図である。
【図１９】図１９は、図１に示した建具の下枠に基準部材を取り付けた状態を示す要部縦断面図である。
【図２０】図２０は、図１に示した建具の下枠に基準部材を取り付けた状態を示す要部縦断面図である。
【図２１】図２１は、図１に示した建具の下枠に固定障子を取り付けた状態を浴室側から見た要部斜視図である。
【図２２】図２２は、図１に示した建具の下枠に固定障子を取り付けた状態を脱衣室側から見た要部斜視図である。
【図２３】図２３は、図１に示した建具の下枠と固定障子の縦框とを示すもので、（ａ）は固定障子を取り付ける以前の状態を示す要部縦断面図、（ｂ）は固定障子を取り付けた状態を示す要部縦断面図である。
【図２４】図２４は、図１に示した建具の下枠に固定障子を取り付けた後、下枠に挟持部材を取り付けた状態を浴室側から見た要部斜視図である。
【図２５】図２５は、本発明の変形例である建具の上枠と固定障子の上框部分とを示したもので、（ａ）は枠体に対して固定障子を上方に配置した状態の要部縦断面図、（ｂ）は枠体に対して固定障子を下方に移動した状態の要部縦断面図である。
【図２６】図２６は、図２５に示した建具の要部断面斜視図である。
【図２７】図２７は、図２５に示した建具において上枠に固定障子を取り付ける以前の縦断面図である。
【図２８】図２８は、図２５に示した建具の上枠を示す要部断面斜視図である。
【図２９】図２９は、図２５に示した建具の上枠を示す要部断面斜視図である。
【図３０】図３０は、図２５に示した建具に適用する係合プレートを示したもので、（ａ）は斜め上方から見た斜視図、（ｂ）は側面図である。
【図３１】図３１は、図２５に示した建具に適用する支持部材を示したもので、（ａ）は斜め上方から見た斜視図、（ｂ）は側面図である。
【発明を実施するための形態】
【００２６】
以下、添付図面を参照しながら本発明に係る建具の好適な実施の形態について詳細に説明する。
【００２７】
（建具の全体概要）
図１〜図６は、本発明の実施の形態である建具を示したものである。ここで例示する建具は、脱衣室（空間）と浴室（空間）との間の出入口に設置される浴室用の片引き戸であり、枠体１０の内部に可動障子２０及び固定障子３０を備えている。枠体１０は、左右の縦枠１１，１２の互いに対向する見込み面１１ａ，１２ａの上端部間に上枠１３を設けるとともに、左右の縦枠１１，１２の互いに対向する見込み面１１ａ，１２ａの下端部間に下枠１４を設けることによって矩形状に構成した、いわゆる縦通しと称されるものである。
【００２８】
可動障子２０及び固定障子３０は、それぞれ透明樹脂やガラス等の透光性を有した矩形状を成すパネル（面材）２１，３１と、パネル２１，３１の四周に装着した上框２２，３２、下框２３，３３及び左右の縦框２４，２５、３４，３５とを備えて構成したものである。可動障子２０においても、枠体１０と同様の縦通しであり、左右の縦框２４，２５の互いに対向する見込み面２４ａ，２５ａの間に上框２２及び下框２３が取り付けてあり、固定障子３０においても、左右の縦框３４，３５の互いに対向する見込み面３４ａ，３５ａの間に上框３２及び下框３３が取り付けてある。
【００２９】
本実施の形態では、可動障子２０及び固定障子３０を左右に並設し、可動障子２０の召合せとなる縦框（以下、区別する場合に召合せ框２４という）を、浴室側から見て固定障子３０の右側に配置される縦框（以下、区別する場合に固定障子３０の右縦框３５という）に対して見込み方向に並設した場合に、枠体１０の開口を塞ぐことができるように枠体１０、可動障子２０及び固定障子３０の外形寸法が設定してある。図１に示すように、この建具では、浴室側から見て枠体１０の向かって左側に固定障子３０が配置してあり、枠体１０の向かって右側に構成される枠開口１０Ａが可動障子２０によって開閉されることになる。
【００３０】
上枠１３、下枠１４、左右の縦枠１１，１２、上框２２，３２、下框２３，３３、左右の縦框２４，２５、３４，３５は、樹脂もしくはアルミニウム合金等の金属によって成形した押し出し形材であり、それぞれが長手方向の全長にわたってほぼ一様な断面形状を有するように構成してある。上枠１３、下枠１４及び左右の縦枠１１，１２は、互いに見込み方向に沿った寸法（以下、見込み寸法という）がほぼ同一であり、可動障子２０の上框２２、下框２３及び左右の縦框２４，２５は、互いに見込み寸法がほぼ同一である。固定障子３０については、下框３３及び左右の縦框３４，３５の見込み寸法が互いにほぼ同一であるが、上框３２は下框３３に比べて見込み寸法が小さく構成してある。
【００３１】
以下、可動障子２０、固定障子３０及び枠体１０についてそれぞれの構成を詳述し、併せて本発明の特徴部分について説明を行う。なお、本明細書で用いる「見込み方向」とは、図中の矢印Ａで示すように、建具の奥行きに沿った方向である。見込み方向に沿った面については、「見込み面」と称する場合がある。また、「見付け方向」とは、上枠１３及び下枠１４あるいは上框２２，３２や下框２３，３３等のように水平方向に沿って延在するものの場合、見込み方向に直交した上下に沿う方向である。縦枠１１，１２や縦框２４，２５、３４，３５等のように上下方向に沿って延在するものの場合には、見込み方向に直交した水平に沿う方向を「見付け方向」という。見付け方向に沿った面については、「見付け面」と称する場合がある。枠や框の長手とは、それぞれを押し出し成形する場合の押し出し方向に一致した方向である。
【００３２】
（可動障子２０の構成について）
図５及び図６に示すように、可動障子２０の縦框２４，２５は、見込み寸法に対して見付け方向に沿った寸法（以下、見付け寸法という）が小さい略矩形の断面を有した中空状を成すように構成してある。本実施の形態では、見込み寸法の１／２よりわずかに小さい見付け寸法を有するように縦框２４，２５が構成してある。可動障子２０の上框２２及び下框２３は、図３に示すように、それぞれ見込み方向に対して見付け方向がわずかに大きな縦長略矩形の断面を有した中空状を成している。
【００３３】
これら可動障子２０の上框２２、下框２３及び左右の縦框２４，２５には、それぞれ見込み方向において浴室側に偏った位置に面材収容部２２ｂ，２３ｂ，２４ｂ，２５ｂが設けてある。面材収容部２２ｂ，２３ｂ，２４ｂ，２５ｂは、框２２，２３，２４，２５の内周側となる見込み面２２ａ，２３ａ，２４ａ，２５ａに開口した横断面が矩形状の凹部であり、パネル２１の縁部を収容した状態で挟持することのできる寸法に形成してある。本実施の形態では、パネル２１において浴室に臨む見付け面に支持ヒレ部２２ｃ，２３ｃ，２４ｃ，２５ｃのみが配置されるようにそれぞれの框２２，２３，２４，２５に面材収容部２２ｂ，２３ｂ，２４ｂ，２５ｂが設けてある。図５中の符号２６は、パネル２１において戸先側となる部位の両面から突出するように設けた可動障子２０の取手である。また、符号２７は、可動障子２０の下面に設けたトラックガイドである。このトラックガイド２７は左右の縦框２４，２５から下框２３の長手方向に沿って連続するように設けたものである。
【００３４】
（固定障子３０の構成について）
図５及び図６に示すように、固定障子３０の縦框３４，３５は、可動障子２０の縦框２４，２５と同様に見込み寸法に対して見付け寸法が小さい略矩形の断面を有した中空状を成すように構成してある。本実施の形態では、可動障子２０の縦框２４，２５よりもわずかに大きな見込み寸法を有し、かつ可動障子２０の縦框２４，２５とほぼ同じ見付け寸法を有するように固定障子３０の縦框３４，３５が構成してある。浴室側から見て固定障子３０の左側に配置される縦框（以下、区別する場合に固定障子３０の左縦框３４という）には係合ヒレ部３４ｄが設けてあり、固定障子３０の右縦框３５には縦框止水材３６が設けてある。
【００３５】
係合ヒレ部３４ｄは、図５に示すように、左縦框３４において浴室側に位置する外周側の縁部から外周に向けて突出した後、脱衣室側に向けて屈曲した部分である。この係合ヒレ部３４ｄは、左縦框３４と一体に成形してある。縦框止水材３６は、右縦框３５の浴室に臨む見付け面に設けた装着溝３５ｄを介して右縦框３５に配設したものである。この縦框止水材３６は、可動障子２０が枠開口１０Ａを閉じた場合に召合せ框２４の脱衣室に臨む見付け面に当接することにより、互いの間の止水を行うものである。
【００３６】
また、縦框３４，３５の上端部には、それぞれキャップ部材３７が装着してある。キャップ部材３７は、縦框３４，３５の上端開口を閉塞するもので、個々の上端部に遮水ヒレ部（遮水部材）３７ａを有している。遮水ヒレ部３７ａは、図には明示していないが、縦框３４，３５の見付け寸法とほぼ同じ幅を有した薄板状部材であり、キャップ部材３７の上端から上方に向けて突出している。
【００３７】
固定障子３０の下框３３は、図４に示すように、略正方形の断面を有した中空状を成している。この下框３３には、装着溝３３ｄ、収容凹部３３ｅ及び突出ヒレ部３３ｆが設けてある。図４に示すように、装着溝３３ｄは、下框３３の下面において浴室側に偏った位置に形成したもので、断面が略矩形で下框３３の下面に開口している。この装着溝３３ｄは、下框３３の長手方向に沿った全長に設けてある。収容凹部３３ｅは、下框３３の下端において装着溝３３ｄよりも脱衣室側となる部位に、装着溝３３ｄに隣接して設けた凹部であり、下框３３の長手方向に沿った全長に設けてある。図４からも明らかなように、この収容凹部３３ｅは、見込み寸法及高さをそれぞれ装着溝３３ｄよりも大きく構成してあり、内部に係合片３３ｇを有している。係合片３３ｇは、装着溝３３ｄとの境界となる部分から脱衣室側に向けてほぼ水平に突出した平板状部分である。突出ヒレ部３３ｆは、下框３３の下面から下方に突出した平板状を成す部分である。本実施の形態では、下框３３において最も浴室側となる部分に突出ヒレ部３３ｆが設けてある。
【００３８】
一方、固定障子３０の上框３２は、異形の中空状を成すもので、縦框３４，３５よりも見込み寸法が小さく、かつ下框３３よりも見付け寸法がわずかに大きい外形となるように構成してある。この上框３２は、浴室側の見付け面が下框３３及び縦框３４，３５の見付け面とほぼ同じ見込み位置となるように左右の縦框３４，３５の間に取り付けてある。本実施の形態では、底壁部３２１、下方見付け壁部３２２、傾斜壁部３２３、上方見付け壁部３２４、上壁部３２５、湾曲壁部３２６、見付け支持壁部３２７を有して固定障子３０の上框３２が構成してある。
【００３９】
底壁部３２１は、見込み方向に沿ってほぼ水平に延在した部分であり、下框３３の見込み寸法のほぼ３／４となるように構成してある。下方見付け壁部３２２は、底壁部３２１において脱衣室側の端部からほぼ鉛直となるように上方に延在した部分である。傾斜壁部３２３は、下方見付け壁部３２２の上端から浴室側に向けて漸次上方となるように傾斜延在した部分である。上方見付け壁部３２４は、傾斜壁部３２３の上端部からほぼ鉛直となるように上方に延在した部分である。この上方見付け壁部３２４は、全体の見付け寸法に対してほぼ１／２を占めるように構成してある。下方見付け壁部３２２及び傾斜壁部３２３は、それぞれ全体の見付け寸法に対してほぼ１／４ずつの割合となっている。上壁部３２５は、上方見付け壁部３２４の上端部から浴室側に向けてほぼ水平に延在する部分である。湾曲壁部３２６は、上框３２の外表が凹状となるように設けた部分であり、上壁部３２５の延在端部から浴室側に向けて漸次下方となるように湾曲している。見付け支持壁部３２７は、湾曲壁部３２６の延在端部からほぼ鉛直となるように下方に延在した部分である。見付け支持壁部３２７の下端位置は、底壁部３２１とほぼ同じである。
【００４０】
これら固定障子３０の上框３２、下框３３及び左右の縦框３４，３５には、それぞれ見込み方向において浴室側に偏った位置に面材収容部３２ｂ，３３ｂ，３４ｂ，３５ｂが設けてある。面材収容部３２ｂ，３３ｂ，３４ｂ，３５ｂの構成については可動障子２０のものと同様であり、またパネル３１において浴室に臨む見付け面に支持ヒレ部３２ｃ，３３ｃ，３４ｃ，３５ｃのみが配置されるようにそれぞれの框３２，３３，３４，３５に面材収容部３２ｂ，３３ｂ，３４ｂ，３５ｂが設けてある点も同様であるため、詳細説明は省略する。
【００４１】
また、上框３２の上方見付け壁部３２４において右縦框３５に近接する部分には、支持ピン３８が設けてある。支持ピン３８は、円柱状を成す軸部３８ａの先端に太径の頭部３８ｂを有するとともに、軸部３８ａの基端部に雄ネジ３８ｃを有したものである。この支持ピン３８は、頭部３８ｂを脱衣室側に向け、かつ軸部３８ａの軸芯が上框３２の延在方向に対して直交するとともに、ほぼ水平となる状態で雄ネジ３８ｃを介して上框３２に螺合してある。なお、図には示していないが、上框３２の上方見付け壁部３２４において左縦框３４に近接する部分にも、同様の支持ピン３８が設けてある。
【００４２】
（枠体１０の構成について）
浴室側から見て枠体１０の右側に配置される縦枠（以下、区別する場合に右縦枠１２という）は、図５及び図６に示すように、見込み板１２ｂ、第１角筒部１２ｃ及び第２角筒部１２ｄを有して構成してある。見込み板１２ｂは、見込み方向に沿って延在したほぼ平板状を成す部分である。第１角筒部１２ｃは、見込み板１２ｂの浴室側に位置する端部から外周側に突出したもので、見込み板１２ｂとの間に断面が略矩形の中空部分を構成している。第２角筒部１２ｄは、見込み板１２ｂの脱衣室側に位置する端部から内周側に突出したもので、見込み板１２ｂとの間に断面が略矩形の中空部分を構成している。図からも明らかなように、第１角筒部１２ｃは、見込み寸法及び見付け寸法がそれぞれ第２角筒部１２ｄよりも小さく構成してある。第２角筒部１２ｄにおいて浴室に臨む見付け面には、第１止水材１５が設けてある。第１止水材１５は、右縦枠１２の浴室に臨む見付け面に設けた装着溝１２ｅを介して右縦枠１２に設けたものである。この第１止水材１５は、可動障子２０が枠開口１０Ａを閉じた場合に浴室側から見て可動障子２０の右側に配置される縦框（以下、区別する場合に可動障子２０の戸先框２５という）の脱衣室に臨む見付け面に当接することにより、互いの間の止水を行うものである。
【００４３】
これに対して浴室側から見て枠体１０の左側に配置される縦枠（以下、区別する場合に左縦枠１１という）は、見込み板１１ｂ及び第１角筒部１１ｃを有する点で右縦枠１２と一致し、位置決め角筒部１１ｄ及び係合受ヒレ部１１ｅを有する点で右縦枠１２と異なる。すなわち、左縦枠１１において見込み板１１ｂの脱衣室側に位置する端部には、第２角筒部１２ｄに換えて位置決め角筒部１１ｄが設けてある。位置決め角筒部１１ｄは、見込み板１１ｂにおいて最も脱衣室側に位置する端部から内周側に突出したものである。見込み板１１ｂからの位置決め角筒部１１ｄの突出寸法は、固定障子３０の左縦框３４において係合ヒレ部３４ｄを含む見付け寸法とほぼ同一である。係合受ヒレ部１１ｅは、見込み板１１ｂにおいて第１角筒部１１ｃと位置決め角筒部１１ｄとの間に位置する部位の内周側から見付け方向に沿って突出した後、浴室側に向けて屈曲したものである。この係合受ヒレ部１１ｅは、左縦框３４の脱衣室に臨む見付け面を位置決め角筒部１１ｄの浴室に臨む見付け面に当接させた場合に係合ヒレ部３４ｄの先端部を見込み板１１ｂとの間に挟持する位置に設けてある。
【００４４】
上述した可動障子２０は、左右の縦枠１１，１２に対して、第２角筒部１２ｄの浴室に臨む見付け面から第１角筒部１２ｃの浴室に臨む見付け面までの見込み範囲内に配置してある。左右方向においては、可動障子２０が枠開口１０Ａを閉じた場合に可動障子２０の戸先框２５が右縦枠１２の第２角筒部１２ｄと見込み方向に並設され、脱衣室側から見た場合に戸先框２５が第２角筒部１２ｄによって覆い隠されるように可動障子２０が配置してある。固定障子３０は、左右の縦枠１１，１２に対して、位置決め角筒部１１ｄの浴室に臨む見付け面から第２角筒部１２ｄの浴室に臨む見付け面までの見込み範囲内に配置してある。可動障子２０によって枠開口１０Ａを閉じた状態においては、脱衣室側から見た場合、可動障子２０の召合せ框２４が固定障子３０の右縦框３５によって覆い隠されるとともに、固定障子３０の左縦框３４が位置決め角筒部１１ｄによって覆い隠されることになる。
【００４５】
枠体１０の下枠１４は、図３及び図４に示すように、第１水平延在部（載置面）１４１、第１垂下延在部１４２、第２水平延在部１４３、傾斜延在部１４４、第２垂下延在部１４５を有したものである。第１水平延在部１４１は、下枠１４において脱衣室側に位置し、固定障子３０が載置される部分であり、見込み方向に沿ってほぼ水平に延在している。第１水平延在部１４１において固定障子３０の下框３３よりも脱衣室側に位置する部分には、固定ヒレ部１４６が設けてある。
【００４６】
第１垂下延在部１４２は、第１水平延在部１４１において下框３３の突出ヒレ部３３ｆよりもわずかに脱衣室側となる部分から下方に向けてほぼ鉛直に延在した部分である。この第１垂下延在部１４２には、溝ヒレ部（段部）１４７が設けてある。溝ヒレ部１４７は、第１水平延在部１４１よりもわずかに高さの低い位置から浴室側に向けてほぼ水平に突出した部分であり、突出端部の上面に装着溝１４７ａを有している。この装着溝１４７ａには、右縦枠１２の装着溝１２ｅに装着した第１止水材１５が一連となるように連続して装着してある。図５及び図６に示すように、この第１止水材１５は、下枠１４においては固定障子３０の右縦框３５が設けられる部位よりもわずかに右縦枠１２となる部位までの間に装着してある。第１水平延在部１４１と溝ヒレ部１４７との段差は、突出ヒレ部３３ｆの突出寸法とほぼ同等であり、第１水平延在部１４１に固定障子３０を載置させた場合に突出ヒレ部３３ｆを第１垂下延在部１４２の見付け面に当接させることが可能である。
【００４７】
第２水平延在部１４３は、第１垂下延在部１４２の下端から浴室側に向けてほぼ水平に延在した部分である。この第２水平延在部１４３には、可動障子２０のトラックガイド２７に対応する部位に下枠１４の長手方向に沿ってトラック１４８が設けてある。トラック１４８は、トラックガイド２７を介して可動障子２０を下枠１４の長手方向に沿って案内するもので、第２水平延在部１４３の上面から突出した状態で第２水平延在部１４３に設けたトラック溝１４３ａに装着してある。傾斜延在部１４４は、第２水平延在部１４３の延在端部から浴室側に向けて漸次下方に傾斜したものである。第２垂下延在部１４５は、傾斜延在部１４４の延在端部から下方に向けてほぼ鉛直に延在した部分である。
【００４８】
枠体１０の上枠１３は、第１見付けヒレ部１３１、第１水平ヒレ部１３２、垂下ヒレ部１３３、ガイドヒレ部１３４、サブガイドヒレ部１３５、第２水平ヒレ部１３６、第２見付けヒレ部１３７を有したものである。
【００４９】
第１見付けヒレ部１３１は、上枠１３においてもっとも脱衣室側に位置する部分であり、ほぼ鉛直となるように上方に延在した後、浴室側に向けて屈曲し、さらに鉛直上方に向けて延在している。この第１見付けヒレ部１３１は、下端の位置が固定障子３０における上框３２の下端とほぼ等しくなるように構成してある。第１水平ヒレ部１３２は、第１見付けヒレ部１３１の上端部から浴室側に向けてほぼ水平となるように延在する部分であり、見込み寸法が固定障子３０よりも大きく構成してある。この第１水平ヒレ部１３２は、下枠１４の第１水平延在部１４１との間に固定障子３０を上下に移動することができるだけの寸法を確保した位置となるように縦枠１１，１２に取り付けてある。
【００５０】
第１水平ヒレ部１３２には、上框３２の湾曲壁部３２６に対応する部位にポケット部１３２ａが設けてある。ポケット部１３２ａは、上枠１３の長手に沿って形成した下方に開口する凹部であり、その内部に換気制御弁（弁部材）１６の基端軸部１６ａを回転可能に収容している。換気制御弁１６は、基端軸部１６ａを中心として回転することにより、上框３２の湾曲壁部３２６上端に当接した状態と湾曲壁部３２６の上端から離隔した状態とに移動することが可能である。図には明示していないが、換気制御弁１６は、固定障子３０において左右の縦框３４，３５の間に設けた上框３２の長手寸法とほぼ同じ長さに構成してある。
【００５１】
垂下ヒレ部１３３は、第１水平ヒレ部１３２の延在端部から下方に向けてほぼ鉛直となるように延在した部分である。ガイドヒレ部１３４は、垂下ヒレ部１３３の下端から浴室側に向けてほぼ水平に延在した後、下方に向けてほぼ鉛直に延在した部分である。サブガイドヒレ部１３５は、ガイドヒレ部１３４の水平に延在する部分において垂下ヒレ部１３３に近接した部分から下方に向けてほぼ鉛直に延在した部分である。これらガイドヒレ部１３４及びサブガイドヒレ部１３５には、それぞれの下端に支持条部１３４ａ，１３５ａが設けてある。支持条部１３４ａ，１３５ａは、互いに対向する位置から互いに対向するように延在したもので、互いの延在端部間にガイド溝１３８を構成している。ガイド溝１３８は、下枠１４のトラック１４８に対向した位置に開口する切欠であり、上枠１３の長手方向に沿って延在している。第２水平ヒレ部１３６は、ガイドヒレ部１３４の下端から浴室側に向けてほぼ水平に延在した部分である。第２見付けヒレ部１３７は、第２水平ヒレ部１３６の延在端部から上下方向に向けてほぼ鉛直に延在した部分である。第２見付けヒレ部１３７の下端は、固定障子３０における上框３２の下端とほぼ等しい高さに設定してある。
【００５２】
上述の構成を有した枠体１０には、上枠１３に框受部材４０及び支持部材５０が設けてあるとともに、下枠１４に係合片部材６０が設けてある。これら支持部材５０、框受部材４０及び係合片部材６０は、枠体１０に対して固定障子３０を取り付けるためのものである。
【００５３】
框受部材４０は、図８〜図１０に示すように、カバープレート部４１と当接ブロック部４２とを有したもので、上枠１３において固定障子３０の右縦框３５に対応する部位に固定してある。カバープレート部４１は、上枠１３の第１見付けヒレ部１３１から垂下ヒレ部１３３までの間において第１見付けヒレ部１３１の下端よりも上方となる部位を覆うものである。当接ブロック部４２は、カバープレート部４１の右縦框３５に対向する面において脱衣室側となる部分に設けたもので、浴室に臨む部分に框当接面４２ａを有している。框当接面４２ａは、鉛直方向に沿って延在する平面であり、図には明示していないが、左縦枠１１に設けた位置決め角筒部１１ｄの浴室に臨む見付け面と同一の見込み位置となるように設けてある。
【００５４】
支持部材５０は、上述した固定障子３０の支持ピン３８とともに上方係合手段を構成するものである。本実施の形態では、図１１に示すように、平板状を成す取付板部５１と、取付板部５１の一側縁から屈曲して延在し、支持ピン３８の頭部３８ｂに対向する係合板部５２とを有して支持部材５０が構成してある。この支持部材５０は、図８〜図１０に示すように、取付板部５１を介して上枠１３の第１水平ヒレ部１３２に取付ネジＳを螺合することにより、係合板部５２が下方に向けて突出した状態で上枠１３に取り付けてある。支持部材５０の係合板部５２は、取付板部５１から下方に向けてほぼ直角に屈曲した第１板部５２１と、第１板部５２１の下端から脱衣室側に向けて漸次下方に傾斜した第２板部５２２と、第２板部５２２の下端からほぼ鉛直に垂下した第３板部５２３とを有したものである。
【００５５】
この支持部材５０の係合板部５２には、挿通孔５３が形成してある。挿通孔５３は、図１１に示すように、支持ピン３８の頭部３８ｂを挿通可能とする第１の切欠部５３ａと、軸部３８ａを挿通可能、かつ頭部３８ｂを挿通不可とする第２の切欠部５３ｂと、第１の切欠部５３ａから第２の切欠部５３ｂに向けて漸次幅が減少する第３の切欠部５３ｃとを有したものである。この挿通孔５３は、第１板部５２１の上端から第２板部５２２を経て第３板部５２３に至るまでの間に上下に連続するように形成してある。具体的には、枠体１０の下枠１４に固定障子３０の下框３３を載置させた場合、図１１の（ｂ）において二点鎖線で示すように、上框３２の支持ピン３８が第３板部５２３に設けた第２の切欠部５３ｂに位置し、第３板部５２３の表面（係合面）５２３ａが頭部３８ｂと対向するように支持部材５０が構成してある。固定障子３０を上方に移動させた場合には、図１１の（ｂ）において一点鎖線で示すように、上框３２の支持ピン３８が第１板部５２１に設けた第１の切欠部５３ａに位置されることになり、枠体１０に対して固定障子３０を見込み方向に沿って移動させることで挿通孔５３に対して支持ピン３８の頭部３８ｂを挿抜させることが可能となる。
【００５６】
支持ピン３８の突出長さ及び支持部材５０の取付位置は、支持ピン３８の軸部３８ａが第２の切欠部５３ｂに位置し、かつ頭部３８ｂが第３板部５２３の表面５２３ａに当接した場合、固定障子３０の左縦框３４が左縦枠１１の位置決め角筒部１１ｄに当接し、かつ右縦框３５が框受部材４０の当接ブロック部４２に当接するように設定してある。
【００５７】
係合片部材６０は、上述した固定障子３０の係合片３３ｇとともに下方係合手段を構成するもので、第１水平延在部１４１の上面において固定障子３０の下框３３によって覆われる位置に設けてある。本実施の形態では、金属等のように弾性を有した薄板状部材によって成形したもので、図４、図１２及び図１３に示すように、係合基板部６１、上曲げ部６２、フック部６３及びガイド傾斜部６４を一体成形した係合片部材６０を例示している。係合基板部６１は、下枠１４の第１水平延在部１４１に接合する部分であり、矩形の平板状に構成してある。上曲げ部６２は、係合基板部６１において浴室側に位置する縁部から上方に向けてほぼ直角に屈曲した部分である。上曲げ部６２の上方への突出寸法は、固定障子３０の下框３３に設けた係合片３３ｇの上面高さとほぼ同一となるように設定してある。フック部６３は、上曲げ部６２の上端から浴室側に向けてほぼ直角に屈曲した部分である。ガイド傾斜部６４は、フック部６３の突出端部から脱衣室側に向けて漸次上方となるように傾斜延在した部分である。この係合片部材６０は、固定障子３０の下框３３を下枠１４の第１水平延在部１４１に載置させ、かつ突出ヒレ部３３ｆを第１垂下延在部１４２の見付け面に当接させた場合に、フック部６３が下框３３の係合片３３ｇに係合し、係合片３３ｇを介して下框３３の上方への移動を阻止するように機能する。
【００５８】
一方、上枠１３において框受部材４０と右縦枠１２との間に位置する部位には、図３に示すように、止水材取付ブロック７０及び上枠カバー部材７１が取り付けてある。止水材取付ブロック７０は、上枠１３の第１水平ヒレ部１３２においてポケット部１３２ａよりも浴室側となる部位から下方に突出したもので、浴室に臨む部分の下端部に装着溝７０ａを有している。装着溝７０ａは、浴室側に向けて開口し、上枠１３の長手に沿って延在したものである。この装着溝７０ａには、右縦枠１２の装着溝１２ｅに装着した第１止水材１５が一連となるように連続して装着してある。この止水材取付ブロック７０に装着した第１止水材１５は、可動障子２０が枠開口１０Ａを閉じた場合に可動障子２０の上框２２において脱衣室に臨む見付け面に当接することにより、互いの間の止水を行うものである。上枠カバー部材７１は、上枠１３の第１見付けヒレ部１３１から止水材取付ブロック７０までの間を覆い隠すものである。
【００５９】
（枠体１０に対する固定障子３０の取り付け構造について）
上記のように構成した建具では、図１２の（ａ）に示すように、枠体１０の上枠１３に対して固定障子３０の上框３２を近づけるように配置すれば、固定障子３０の上框３２に設けた支持ピン３８の頭部３８ｂを支持部材５０の挿通孔５３において第１の切欠部５３ａに挿通させることができる。この状態から、図１２の（ｂ）に示すように、枠体１０に対して固定障子３０を下方に移動させ、下框３３の突出ヒレ部３３ｆを第１垂下延在部１４２の見付け面に当接させながら下框３３を下枠１４の第１水平延在部１４１に載置させれば、係合片部材６０のフック部６３が下框３３の係合片３３ｇに係合し、固定障子３０の上方への移動及び脱衣室側への移動が阻止される。この状態からさらに、図１４及び図１５に示すように、下枠１４の溝ヒレ部１４７にビード部材（挟持部材）８０を装着すれば、下框３３の突出ヒレ部３３ｆが第１垂下延在部１４２とビード部材８０との間に挟持される。この間、挿通孔５３に挿通した支持ピン３８は、固定障子３０の下方への移動に伴って第２の切欠部５３ｂに移動し、頭部３８ｂが第３板部５２３の表面５２３ａに当接した状態となる。
【００６０】
上述の状態においては、支持ピン３８の頭部３８ｂが支持部材５０の表面５２３ａに当接することにより、固定障子３０の上框３２が支持部材５０から離隔する方向の移動、つまり上框３２の浴室側への移動が阻止される。また、支持ピン３８の頭部３８ｂが支持部材５０の第２板部５２２に当接した際に第２板部５２２の傾斜作用によって上框３２が脱衣室側に移動されるため、左縦框３４が左縦枠１１の位置決め角筒部１１ｄに当接し、かつ右縦框３５が框受部材４０の当接ブロック部４２に当接することになり、固定障子３０の脱衣室側への移動が阻止される。さらに、下框３３の突出ヒレ部３３ｆが第１垂下延在部１４２とビード部材８０との間に挟持されているため、下枠１４に対する下框３３の見込み方向に沿った移動も阻止された状態となる。またさらに、固定障子３０の左縦框３４に設けた係合ヒレ部３４ｄが左縦枠１１の見込み板１１ｂと係合受ヒレ部１１ｅとの間に挟持されるため、左縦枠１１に対する左縦框３４の離隔方向への移動が阻止される。
【００６１】
このように、上述の建具によれば、枠体１０に固定障子３０を取り付けるに当たって別途方立枠を設ける必要がなく、当然に方立枠と右縦框３５との間にネジを螺合させる必要もない。従って、右縦框３５の見付け寸法を小さく設定することが可能となり、枠体１０を介した視界を大きく確保することができるようになる。しかも、枠体１０に対して固定障子３０を上方に配置した後、固定障子３０を下方に移動させれば、支持ピン３８を支持部材５０に係合させることができ、かつ係合片部材６０を係合片３３ｇに係合させることが可能であり、固定障子３０の枠体１０への取付作業を容易化することができる。
【００６２】
さらに、この固定障子３０では、上述したように、上框３２の見込み寸法が縦框３４，３５に対して小さく構成してあり、しかも浴室側の見付け面が縦框３４，３５及び下框３３の見付け面とほぼ同じ見込み位置となるように左右の縦框３４，３５の間に取り付けてある。従って、固定障子３０を枠体１０に取り付けた状態においては、図４に示すように、上枠１３の第１見付けヒレ部１３１と、上框３２の下方見付け壁部３２２、傾斜壁部３２３、上方見付け壁部３２４の間に隙間が確保されることになり、固定障子３０を下方に移動した際に構成される第１水平ヒレ部１３２と上壁部３２５との間の隙間と連通することによって浴室と脱衣室との間を連通する通気通路ＡＣが構成される。
【００６３】
これにより、後述する可動障子２０によって枠開口１０Ａを閉じた状態においても通気通路ＡＣを通じて浴室と脱衣室との間で通気を行うことが可能となる。しかも、固定障子３０の縦框３４，３５には、それぞれの上端部に遮水ヒレ部３７ａが設けてあるとともに、これら縦框３４，３５の間に対応する部位に換気制御弁１６が配設してある。従って、浴室側から建具の上部に水が掛かったとしても、これら換気制御弁１６及び遮水ヒレ部３７ａによって脱衣室側への浸入が防止されることになり、通気通路ＡＣを通じて漏水が生じるおそれはない。
【００６４】
（枠体１０に対する可動障子２０の取り付け構造について）
一方、この建具では、図３に示すように、可動障子２０の下面に設けたトラックガイド２７を介して可動障子２０を下枠１４のトラック１４８に載置させるとともに、可動障子２０の上框２２にスライド部材９０を連結させることにより、枠体１０において固定障子３０よりも浴室側となる部位に可動障子２０が配設される。スライド部材９０は、上枠１３のガイドヒレ部１３４とサブガイドヒレ部１３５との間に長手方向に沿って移動可能に配設したもので、ガイド溝１３８を介して垂下する連結ロッド９１を備えている。従って、上記のようにして取り付けた可動障子２０は、トラック１４８の延在方向に沿って移動することが可能であり、枠体１０の枠開口１０Ａを開閉することができるようになる。
【００６５】
（建具の止水性について）
上記のように方立枠を用いることなく枠体１０に固定障子３０を取り付けるようにした建具では、上枠１３及び右縦枠１２から下枠１４については第１止水材１５を連続して設けることが可能であるものの、固定障子３０の右縦框３５との間においては第１止水材１５を連続して設けることができない。このため、右縦框３５との間については、固定障子３０を枠体１０に取り付けた後に、別途右縦框３５に独立して設けた縦框止水材３６を下枠１４の第１止水材１５に連続させて止水性を確保する必要がある。そこで、この建具では、下枠１４に予め基準部材１００を配設し、この基準部材１００を介して第１止水材１５と縦框止水材３６との間を連続させることにより、止水性確保のための作業を容易化するようにしている。
【００６６】
基準部材１００は、図１７〜図２０に示すように、下枠１４の第１水平延在部１４１に載置される載置基板部１０１と、載置基板部１０１において浴室側に位置する端部に設けた補助支持部１０２と、載置基板部１０１において脱衣室側に位置する縁部に設けた補助仕切板部１０３と、載置基板部１０１において右縦枠１２側に位置する縁部に設けた仕切板部１０４と、載置基板部１０１の上面に設けた当接台部１０５と、仕切板部１０４において右縦枠１２に対向する部位に向けて突出した止水カバー部１０６とを有し、樹脂によってこれらを一体に成形したものである。
【００６７】
載置基板部１０１は、下面が平坦に構成してあり、面状の基準止水材１１０を介して下枠１４の第１水平延在部１４１に取り付けてある。本実施の形態では、載置基板部１０１を介して下枠１４にネジ１１１を螺合するようにしている。載置基板部１０１には、導入溝１０７が設けてある。導入溝１０７は、固定障子３０の下框３３に設けた装着溝３３ｄに対応する部位に形成した凹所であり、装着溝３３ｄとほぼ同じ幅を有している。図からも明らかなように、導入溝１０７は、左縦枠１１に対向する部位においては下框３３の装着溝３３ｄとほぼ同じ横断面を有しているが、右縦枠１２に近接するに従って漸次上方に傾斜している。
【００６８】
補助支持部１０２は、載置基板部１０１よりも下方に突出し、下枠１４の第１垂下延在部１４２及び第２水平延在部１４３にそれぞれ当接するように構成したものである。すなわち、基準部材１００を取り付ける部分については、図１６に示すように、部分的に溝ヒレ部１４７が切除してあり、下方に突出する補助支持部１０２を第１垂下延在部１４２及び第２水平延在部１４３に当接させることができる。図１７〜図２０に示すように、上述した基準止水材１１０は、載置基板部１０１の下面から第１垂下延在部１４２と補助支持部１０２との間にまで連続して介在している。補助支持部１０２の浴室に臨む見付け面は、可動障子２０の脱衣室に臨む見付け面よりも脱衣室側にあり、可動障子２０に干渉することはない。この補助支持部１０２の見付け面には、装着溝１０２ａを介して補助止水材１１２が装着してある。補助止水材１１２は、可動障子２０の召合せ框２４の脱衣室に臨む見付け面に当接することによって互いの間の止水を行うもので、その先端部が仕切板部１０４よりも浴室側に突出するように構成してある。
【００６９】
補助仕切板部１０３及び仕切板部１０４は、載置基板部１０１の縁部からそれぞれ上方に向けてほぼ鉛直に延在した平板状部分であり、載置基板部１０１の脱衣室側に位置する縁部から右縦枠１２側に位置する縁部にわたって連続して設けてある。補助仕切板部１０３は、固定障子３０の右縦框３５において脱衣室に臨む見付け面に対向し、仕切板部１０４は、右縦框３５において右縦枠１２に対向する見込み面に対向するものである。
【００７０】
当接台部１０５は、載置基板部１０１から上方に突出した台状を成すもので、下方支持面１０５ａ及び基準当接面１０５ｂを有している。下方支持面１０５ａは、補助仕切板部１０３において仕切板部１０４に近接する部位から浴室側に向けてほぼ水平に延在したものである。基準当接面１０５ｂは、下方支持面１０５ａの延在端部から下方に向けてほぼ鉛直に延在したもので、導入溝１０７よりも脱衣室側となる部位に位置している。これら下方支持面１０５ａ及び基準当接面１０５ｂは、それぞれの一側縁が仕切板部１０４に連続するように設けてある。下方支持面１０５ａ及び基準当接面１０５ｂには、当接部止水材１１３が設けてある。当接部止水材１１３は、弾性に富んだ材質によって厚板状に構成したものである。図からも明らかなように、この当接部止水材１１３は、基準当接面１０５ｂに配設した部分の表面が導入溝１０７の形成位置に達するように構成してある。
【００７１】
止水カバー部１０６は、下枠１４の第１水平延在部１４１に対応する部位から上方に突出した後、浴室側に向けて湾曲し、さらに浴室側に向けてほぼ水平となるように延在したもので、溝ヒレ部１４７の上方を覆うように構成してある。この止水カバー部１０６には、溝ヒレ部１４７の装着溝１４７ａに装着した第１止水材１５の端部が収容され、第１止水材１５において上方に突出する止水ヒレ部１５ａが内表面に圧接された状態にある。第１止水材１５の端部を基準部材１００に圧接させる作業は、いずれもが下枠１４に取り付けられたものであるため、煩雑な作業を要することなく実施可能である。
【００７２】
一方、基準部材１００を介して枠体１０に取り付ける固定障子３０には、図２２及び図２３に示すように、右縦框３５において右縦枠１２に対向する見込み面に立上り面３５１及び内底面３５２が設けてある。立上り面３５１及び内底面３５２は、第２止水材１２０よりも脱衣室側となる部位に切欠３５０を設けることによって構成してある。
【００７３】
第２止水材１２０は、基準部材１００に設けた当接部止水材１１３と同様、弾性に富んだ材質によって厚板状に構成したもので、下框３３の装着溝３３ｄから右縦框３５の下面にわたる部位に下方に突出するように配設してある。図には明示していないが、この第２止水材１２０は、下框３３の装着溝３３ｄに沿って左縦框３４に至るまで連続して配設してある。第２止水材１２０のもう一方の端部は、上方に折り曲げて左縦框３４の見込み面に貼り付けてある。
【００７４】
立上り面３５１は、右縦框３５の下端から第２止水材１２０の脱衣室側に位置する縁部に沿って上方に延在したものである。立上り面３５１の上下方向に沿った寸法は、当接台部１０５の基準当接面１０５ｂよりも大きく、仕切板部１０４よりも小さい長さに設定してある。内底面３５２は、立上り面３５１の上端部から脱衣室側に向けてほぼ水平に延在したものである。なお、図中の符号３５３は、基準部材１００に螺合したネジ１１１との干渉を避けるために右縦框３５の下端部に形成した逃げ用切欠である。
【００７５】
上記のように右縦框３５に切欠３５０を形成した固定障子３０を、基準部材１００が設けられた下枠１４に載置させると、第２止水材１２０が下框３３の下枠１４との間で圧縮された状態となり、互いの間の止水を行うことができる。また、第２止水材１２０において右縦框３５の下面に配設された部分は、基準部材１００の導入溝１０７に嵌まった状態で圧接され、かつその先端部が基準部材１００の当接台部１０５に設けた当接部止水材１１３の表面に圧接される。なお、固定障子３０の右縦框３５に設けた縦框止水材３６の下端部は、基準部材１００に設けた補助止水材１１２の上端に当接される。
【００７６】
上記のようにして枠体１０に固定障子３０を取り付けた建具にあっては、可動障子２０によって枠開口１０Ａを閉じた場合、可動障子２０の下框２３及び召合せ框２４に対しては、下枠１４の第１止水材１５、基準部材１００の補助止水材１１２、右縦框３５の縦框止水材３６がそれぞれ当接し、互いの間の止水を行う。上述したように、下枠１４の溝ヒレ部１４７に装着した第１止水材１５の端部は、仕切板部１０４に及び止水カバー部１０６に圧接された状態にある。固定障子３０に装着した第２止水材１２０は、下枠１４の上面から当接部止水材１１３を介して基準部材１００の仕切板部１０４に圧接された状態にある。
【００７７】
従って、基準部材１００を介して第１止水材１５と第２止水材１２０とが連続するため、例えば浴室側の水が縦框止水材３６と補助止水材１１２との隙間から脱衣室側に浸入したとしても、第２止水材１２０及び当接部止水材１１３によって止水されることになり、その水が脱衣室に至るおそれはない。しかも、基準部材１００を設けることにより、固定障子３０と枠体１０に配設した第１止水材１５とが離隔された状態となるため、固定障子３０を枠体１０に取り付ける際に第１止水材１５の端部に固定障子３０が乗り上げるような事態が生じることはない。
【００７８】
さらに、基準部材１００と右縦框３５との間においては、当接部止水材１１３を介して当接台部１０５が立上り面３５１及び内底面３５２にそれぞれ圧接された状態となる。従って、基準部材１００に対して固定障子３０の建て付け位置がずれた場合にも、当接部止水材１１３の範囲内であれば、右縦框３５との当接状態が維持されることになり、煩雑な位置決め作業を要することなく止水性を確保することができる。
【００７９】
（枠体１０に対する固定障子３０の取り付け構造の変形例について）
上述した実施の形態では、固定障子３０の上框３２に支持ピン３８を設ける一方、上枠１３に挿通孔５３を有した支持部材５０を設けることによって上方係合手段を構成し、支持ピン３８を挿通孔５３に挿通させることによって支持ピン３８の頭部３８ｂを支持部材５０の係合面５３２ａに当接させるようにしているが、上方係合手段の構成は実施の形態のものに限定されない。
【００８０】
図２５〜図２９は、上方係合手段の変形例を適用した建具の要部を示したものである。ここで例示する建具は、実施の形態と同様、脱衣室（空間）と浴室（空間）との間の出入口に設置される浴室用の片引き戸であり、実施の形態とは上方係合手段の構成のみが異なっている。以下、実施の形態と異なる構成について詳述する。なお、変形例において実施の形態と同様の構成については同一の符号を付してそれぞれの詳細説明を省略する。
【００８１】
この変形例の建具では、上框３２の上方見付け壁部３２４において右縦框３５に近接する部分に係合プレート２００が設けるとともに、上枠１３において係合プレート２００に対応する部位に支持部材２５０を設けることによって上方係合手段が構成してある。
【００８２】
係合プレート２００は、図２７及び図３０に示すように、平板状を成す係合基板部２０１と、係合基板部２０１の下端縁から下方に向けて漸次脱衣室側に傾斜した傾斜板部２０２と、傾斜板部２０２の下端縁からほぼ鉛直に沿って下方に延在した後、脱衣室側に傾斜した係合板部２０３とを有したもので、係合基板部２０１を介して上框３２に取り付けてある。なお、図には示していないが、上框３２の上方見付け壁部３２４において左縦框３４に近接する部分にも、同様の係合プレート２００が設けてある。
【００８３】
支持部材２５０は、図３１に示すように、平板状を成す取付板部２５１と、取付板部２５１の一側縁から屈曲して下方に延在した支持基板部２５２と、支持基板部２５２の下端から浴室側に向けてほぼ水平に延在した後に上方に向けて屈曲した係合受部２５３とを有して構成してある。係合受部２５３の上端縁部は、上方に向けて漸次浴室側に傾斜している。この支持部材２５０は、取付板部２５１を介して上枠１３の第１水平ヒレ部１３２に取付ネジＳを螺合することによって上枠１３に取り付けてある。係合受部２５３の上端は、図２５の（ａ）に示すように、固定障子３０を上方に移動させた場合、係合プレート２００の下端よりも下方に位置するように設定してある。支持部材２５０の支持基板部２５２は、取付板部２５１から下方に向けてほぼ直角に屈曲した第１板部２５２ａと、第１板部２５２ａの下端から脱衣室側に向けて漸次下方に傾斜した第２板部２５２ｂと、第２板部２５２ｂの下端からほぼ鉛直に垂下した第３板部２５２ｃとを有したものである。
【００８４】
係合プレート２００及び支持部材２５０の取付位置は、係合プレート２００の係合板部２０３が支持部材２５０の支持基板部２５２と係合受部２５３との間において係合受部２５３に当接した場合に、固定障子３０の左縦框３４が左縦枠１１の位置決め角筒部１１ｄに当接し、かつ右縦框３５が框受部材４０の当接ブロック部４２に当接するように設定してある。
【００８５】
上記のように構成した変形例の建具では、図２５の（ａ）に示すように、枠体１０の上枠１３に対して固定障子３０の上框３２を近づけるように配置すれば、固定障子３０の上框３２に設けた係合プレート２００の係合板部２０３を支持部材２５０の係合受部２５３よりも上方に配置させることができる。この状態から、図２５の（ｂ）に示すように、枠体１０に対して固定障子３０を下方に移動させれば、係合板部２０３が支持基板部２５２と係合受部２５３との間に挿入され、係合板部２０３と係合受部２５３とが互いに対向した状態となる。このとき、実施の形態と同様、下框３３と下枠１４との間においては、係合片部材６０のフック部６３が下框３３の係合片３３ｇに係合した状態となる。従って、固定障子３０が枠体１０に対して上方への移動及び脱衣室側への移動が阻止された状態で枠体１０に配置されることになる。
【００８６】
このように、上述の建具においても、枠体１０に固定障子３０を取り付けるに当たって別途方立枠を設ける必要がなく、当然に方立枠と右縦框３５との間にネジを螺合させる必要もない。従って、右縦框３５の見付け寸法を小さく設定することが可能となり、枠体１０を介した視界を大きく確保することができるようになる。しかも、枠体１０に対して固定障子３０を上方に配置した後、固定障子３０を下方に移動させれば、係合プレート２００を支持部材２５０に係合させることができ、かつ係合片部材６０を係合片３３ｇに係合させることが可能であり、固定障子３０の枠体１０への取付作業を容易化することができる。特に変形例においては、上方係合手段が枠体１０に対して固定障子３０の左右方向の移動を規制する構成でないため、枠体１０に対して固定障子３０を配置する際にシビアな位置決めを行う必要がなく、作業の一層の容易化を図ることが可能となる。
【００８７】
なお、上述した実施の形態及び変形例では、浴室と脱衣室との間の出入口に設けられる浴室用の片引き戸を例示しているが、必ずしも浴室と脱衣室との間に設けられるものに限らない。また、可動障子の開閉方向はスライドである必要はなく、例えばドアのようにヒンジを介して開閉するものであっても構わない。
【符号の説明】
【００８８】
１０  枠体、１１，１２  縦枠、１３  上枠、１４  下枠、１６  換気制御弁、３０  固定障子、３１  パネル、３２  上框、３３  下框、３４，３５  縦框、３４ａ，３５ａ  見込み面、３３ｆ  突出ヒレ部、３３ｇ  係合片、３７  キャップ部材、３７ａ  遮水ヒレ部、３８  支持ピン、３８ａ  軸部、３８ｂ  頭部、４０  框受部材、５０  支持部材、５３  挿通孔、５３ａ  第１の切欠部、５３ｂ  第２の切欠部、６０  係合片部材、８０  ビード部材、１４１  第１水平延在部、１４７  溝ヒレ部、２００  係合プレート、２５０  支持部材、２５２  支持基板部、２５３  係合受部、５２３ａ  表面、ＡＣ  通気通路
【図１】
0006595949.tif 000002
【図２】
0006595949.tif 000003
【図３】
0006595949.tif 000004
【図４】
0006595949.tif 000005
【図５】
0006595949.tif 000006
【図６】
0006595949.tif 000007
【図７】
0006595949.tif 000008
【図８】
0006595949.tif 000009
【図９】
0006595949.tif 000010
【図１０】
0006595949.tif 000011
【図１１】
0006595949.tif 000012
【図１２】
0006595949.tif 000013
【図１３】
0006595949.tif 000014
【図１４】
0006595949.tif 000015
【図１５】
0006595949.tif 000016
【図１６】
0006595949.tif 000017
【図１７】
0006595949.tif 000018
【図１８】
0006595949.tif 000019
【図１９】
0006595949.tif 000020
【図２０】
0006595949.tif 000021
【図２１】
0006595949.tif 000022
【図２２】
0006595949.tif 000023
【図２３】
0006595949.tif 000024
【図２４】
0006595949.tif 000025
【図２５】
0006595949.tif 000026
【図２６】
0006595949.tif 000027
【図２７】
0006595949.tif 000028
【図２８】
0006595949.tif 000029
【図２９】
0006595949.tif 000030
【図３０】
0006595949.tif 000031
【図３１】
0006595949.tif 000032